(57)【特許請求の範囲】
【請求項１】
セル内の端末にデータ信号を送信するためのサービングリソースブロックと同一の時間帯及び同一の周波数帯を用いて送信される複数の干渉リソースブロックのうちのいずれかの干渉リソースブロックにおいて、前記いずれかの干渉リソースブロックを構成する複数のリソースエレメントのうち、少なくとも一つの第１のリソースエレメントに参照信号を配置し、前記参照信号は前記端末が前記複数の干渉リソースブロックの総電力を推定するための信号であり、前記複数の干渉リソースブロックの各々の信号の波形指向性図の総和と等しくなるように設定された波形指向性図を有し、前記サービングリソースブロックにおいて、前記サービングリソースブロックを構成する複数のリソースエレメントのうち、前記少なくとも一つの第１のリソースエレメントと同一の時間周波数を有する少なくとも一つの第２のリソースエレメントには信号を配置しないものとする配置工程と、
前記端末に対して、前記いずれかの干渉リソースブロックにおいて前記少なくとも一つの第１のリソースエレメントに配置された前記参照信号を送信し、前記サービングリソースブロックにおいて前記少なくとも一つの第２のリソースエレメントでは信号を送信しない、送信工程と、
を具備する参照信号配置方法。
【請求項２】
前記複数の干渉リソースブロックの総電力は、一つ又は複数の隣接セルからの総干渉電力である、
請求項１に記載の参照信号配置方法。
【請求項３】
前記セルは、一つ又は複数の隣接セルとの協調送信を行う、
請求項１又は２に記載の参照信号配置方法。
【請求項４】
前記セルは、一つ又は複数の隣接セルとの協調式ビーム形成を行う、
請求項１又は２に記載の参照信号配置方法。
【請求項５】
前記配置工程において、前記いずれかの干渉リソースブロック以外の干渉リソースブロックの各々において、各干渉リソースブロックを構成する複数のリソースエレメントのうち、前記少なくとも一つの第１のリソースエレメントと同一の時間周波数を有する少なくとも一つの第３のリソースエレメントには信号を配置しないものとする、
請求項１から４のいずれかに記載の参照信号配置方法。
【請求項６】
前記端末が前記参照信号に基づいて推定した前記複数の干渉リソースブロックの総電力の値を含むチャネル情報を取得する取得工程をさらに有する、
請求項１から５のいずれかに記載の参照信号配置方法。
【請求項７】
前記少なくとも一つの第２のリソースエレメントにおいて、前記端末が、前記いずれか干渉リソースブロックにおいて送信された参照信号に基づいて測定したチャネル情報を取得する取得工程をさらに有する、
請求項１から６のいずれかに記載の参照信号配置方法。
【請求項８】
前記いずれかの干渉リソースブロック及び前記サービングリソースブロックの各々を構成する複数のリソースエレメントは、制御信号の送信に用いられる複数のリソースエレメントと、前記データ信号の送信に用いられる複数のリソースエレメントとからなり、
前記配置工程において、前記いずれかの干渉リソースブロックにおいては、前記データ信号の送信に用いられる複数のリソースエレメントの中から、前記少なくとも一つの第１のリソースエレメントを選択し、前記サービングリソースブロックにおいては、前記データ信号の送信に用いられる複数のリソースエレメントの中から、前記少なくとも一つの第２のリソースエレメントを選択する、
請求項１から７のいずれかに記載の参照信号配置方法。
【請求項９】
前記配置工程において、前記いずれかの干渉リソースブロックを構成する前記複数のリソースエレメントのうち、少なくとも一つのリソースエレメントに、Ｒｅｌ−８参照信号を配置し、前記Ｒｅｌ−８参照信号が配置されるリソースエレメントとは異なるリソースエレメントに、前記参照信号を配置する、
請求項１から８のいずれかに記載の参照信号配置方法。
【請求項１０】
前記いずれかの干渉リソースブロックを構成する前記複数のリソースエレメントは、復調参照信号の送信に用いられるリソースエレメントを含み、
前記配置工程において、前記復調参照信号の送信に用いられるリソースエレメントに、前記参照信号を配置する、
請求項１から９のいずれかに記載の参照信号配置方法。
【請求項１１】
前記いずれかの干渉リソースブロックを構成する前記複数のリソースエレメントは、復調参照信号の送信に用いられるリソースエレメントを含み、
前記配置工程において、前記復調参照信号の送信に用いられるリソースエレメントとは異なるリソースエレメントに、前記参照信号を配置する、
請求項１から９のいずれかに記載の参照信号配置方法。
【請求項１２】
前記配置工程において、前記参照信号を、所定の間隔を有する複数のリソースブロックに配置する、
請求項１から１１のいずれかに記載の参照信号配置方法。
【請求項１３】
前記参照信号は電力感知参照信号である、
請求項１から１２のいずれかに記載の参照信号配置方法。
【請求項１４】
セル内の端末にデータ信号を送信するためのサービングリソースブロックと同一の時間帯及び同一の周波数帯を用いて送信される複数の干渉リソースブロックのうちのいずれかの干渉リソースブロックにおいて、前記いずれかの干渉リソースブロックを構成する複数のリソースエレメントのうち、少なくとも一つの第１のリソースエレメントに配置された参照信号と、前記サービングリソースブロックにおいて、前記サービングリソースブロックを構成する複数のリソースエレメントのうち、前記少なくとも一つの第１のリソースエレメントと同一の時間周波数を有する少なくとも一つの第２のリソースエレメント以外のリソースエレメントに配置されたデータ信号とを受信し、前記少なくとも一つの第２のリソースエレメントには信号が配置されておらず、前記参照信号は前記端末が前記複数の干渉リソースブロックの総電力を推定するための信号であり、前記複数の干渉リソースブロックの各々の信号の波形指向性図の総和と等しくなるように設定された波形指向性図を有する、受信工程と、
前記参照信号に基づいて、前記複数の干渉リソースブロックの総電力の値を含むチャネル情報を測定する測定工程と、
を有する、
チャネル情報測定方法。
【請求項１５】
前記複数の干渉リソースブロックの総電力は、一つ又は複数の隣接セルからの総干渉電力である、
請求項１４に記載のチャネル情報測定方法。
【請求項１６】
前記セルは、一つ又は複数の隣接セルとの協調送信を行う、
請求項１４又は１５に記載のチャネル情報測定方法。
【請求項１７】
前記セルは、一つ又は複数の隣接セルとの協調式ビーム形成を行う、
請求項１４から１６のいずれかに記載のチャネル情報測定方法。
【請求項１８】
前記いずれかの干渉リソースブロック以外の干渉リソースブロックの各々において、各干渉リソースブロックを構成する複数のリソースエレメントのうち、前記少なくとも一つの第１のリソースエレメントと同一の時間周波数を有する少なくとも一つの第３のリソースエレメントには信号が配置されていない、
請求項１４から１７のいずれかに記載のチャネル情報測定方法。
【請求項１９】
前記いずれかの干渉リソースブロック及び前記サービングリソースブロックの各々を構成する複数のリソースエレメントは、制御信号の送信に用いられる複数のリソースエレメントと、前記データ信号の送信に用いられる複数のリソースエレメントとからなり、
前記受信工程において、前記いずれかの干渉リソースブロックにおいては、前記データ信号の送信に用いられる複数のリソースエレメントの中から、前記少なくとも一つの第１のリソースエレメントが選択され、前記サービングリソースブロックにおいては、前記データ信号の送信に用いられる前記複数のリソースエレメントの中から、前記少なくとも一つの第２のリソースエレメントが選択される、
請求項１４から１８のいずれかに記載のチャネル情報測定方法。
【請求項２０】
前記受信工程において、前記いずれかの干渉リソースブロックを構成する前記複数のリソースエレメントのうち、少なくとも一つのリソースエレメントに配置されたＲｅｌ−８参照信号を受信し、前記Ｒｅｌ−８参照信号が配置されたリソースエレメントとは異なるリソースエレメントに配置された前記参照信号を受信する、
請求項１４から１９のいずれかに記載のチャネル情報測定方法。
【請求項２１】
前記いずれかの干渉リソースブロックを構成する前記複数のリソースエレメントは、復調参照信号の送信に用いられるリソースエレメントを含み、
前記受信工程において、前記復調参照信号の送信に用いられるリソースエレメントに配置された前記参照信号を受信する、
請求項１４から２０のいずれかに記載のチャネル情報測定方法。
【請求項２２】
前記いずれかの干渉リソースブロックを構成する前記複数のリソースエレメントは、復調参照信号の送信に用いられるリソースエレメントを含み、
前記受信工程において、前記復調参照信号の送信に用いられるリソースエレメントとは異なるリソースエレメントに配置された前記参照信号を受信する、
請求項１４から２０のいずれかに記載のチャネル情報測定方法。
【請求項２３】
前記受信工程において、所定の間隔を有する複数のリソースブロックに配置された前記参照信号を受信する、
請求項１４から２２のいずれかに記載のチャネル情報測定方法。
【請求項２４】
前記参照信号は電力感知参照信号である、
請求項１４から２３のいずれかに記載のチャネル情報測定方法。
【請求項２５】
請求項１から１３のいずれかに記載の参照信号配置方法を実行する基地局装置。
【請求項２６】
請求項１４から２４のいずれかに記載のチャネル情報測定方法を実行する端末装置。
【請求項２７】
セル内の端末にデータ信号を送信するためのサービングリソースブロックと同一の時間帯及び同一の周波数帯を用いて送信される複数の干渉リソースブロックのうちのいずれかの干渉リソースブロックにおいて、前記いずれかの干渉リソースブロックを構成する複数のリソースエレメントのうち、少なくとも一つの第１のリソースエレメントに参照信号を配置し、前記参照信号は前記端末が前記複数の干渉リソースブロックの総電力を推定するための信号であり、前記複数の干渉リソースブロックの各々の信号の波形指向性図の総和と等しくなるように設定された波形指向性図を有し、前記サービングリソースブロックにおいて、前記サービングリソースブロックを構成する複数のリソースエレメントのうち、前記少なくとも一つの第１のリソースエレメントと同一の時間周波数を有する少なくとも一つの第２のリソースエレメントには信号を配置しないものとする配置手段と、
前記端末に対して、前記いずれかの干渉リソースブロックにおいて前記少なくとも一つの第１のリソースエレメントに配置された前記参照信号を送信し、前記サービングリソースブロックにおいて前記少なくとも一つの第２のリソースエレメントでは信号を送信しない、送信手段と、
を具備する基地局装置。
【請求項２８】
前記複数の干渉リソースブロックの総電力は、一つ又は複数の隣接セルからの総干渉電力である、
請求項２７に記載の基地局装置。
【請求項２９】
前記端末が前記参照信号に基づいて推定した前記複数の干渉リソースブロックの総電力の値を含むチャネル情報を取得する取得手段をさらに有する、
請求項２７又は２８のいずれかに記載の基地局装置。
【請求項３０】
前記配置手段は、前記いずれかの干渉リソースブロック以外の干渉リソースブロックの各々において、各干渉リソースブロックを構成する複数のリソースエレメントのうち、前記少なくとも一つの第１のリソースエレメントと同一の時間周波数を有する少なくとも一つの第３のリソースエレメントには信号を配置しないものとする、
請求項２９に記載の基地局装置。
【請求項３１】
セル内の端末にデータ信号を送信するためのサービングリソースブロックと同一の時間帯及び同一の周波数帯を用いて送信される複数の干渉リソースブロックのうちのいずれかの干渉リソースブロックにおいて、前記いずれかの干渉リソースブロックを構成する複数のリソースエレメントのうち、少なくとも一つの第１のリソースエレメントに配置された参照信号と、前記サービングリソースブロックにおいて、前記サービングリソースブロックを構成する複数のリソースエレメントのうち、前記少なくとも一つの第１のリソースエレメントと同一の時間周波数を有する少なくとも一つの第２のリソースエレメント以外のリソースエレメントに配置されたデータ信号とを受信し、前記少なくとも一つの第２のリソースエレメントには信号が配置されておらず、前記参照信号は前記端末が前記複数の干渉リソースブロックの総電力を推定するための信号であり、前記複数の干渉リソースブロックの各々の信号の波形指向性図の総和と等しくなるように設定された波形指向性図を有する、受信手段と、
前記参照信号に基づいて、前記複数の干渉リソースブロックの総電力の値を含むチャネル情報を測定する測定手段と、
を有する、
端末装置。
【請求項３２】
前記いずれかの干渉リソースブロック以外の干渉リソースブロックの各々において、各干渉リソースブロックを構成する複数のリソースエレメントのうち、前記少なくとも一つの第１のリソースエレメントと同一の時間周波数を有する少なくとも一つの第３のリソースエレメントには信号が配置されていない、
請求項３１に記載の端末装置。
【発明の詳細な説明】
【技術分野】
【０００１】
本公開は、参照信号配置方法、チャネル情報測定方法、基地局装置および端末装置に関する。
【背景技術】
【０００２】
現代のセルラネットワーク無線通信システム（例えば、ＬＴＥ、ＷｉＭＡＸ）においては、ユーザ装置（ＵＥ）はサービング基地局の信号を受信する以外に、隣接基地局の干渉、すなわちセル間干渉も受信する。ユーザがセルエッジにいる際は、セル間干渉は比較的強くなり、システムスループットを制限する主要な原因となる。
【０００３】
複数基地局協調は、セル間干渉を効果的に抑制する技術の一種である。複数基地局協調の実現方式の一種に、協調式ビーム形成がある。基地局に複数のアンテナが配置されている際は、アンテナの指向性はアンテナアレイのプリコーディングベクトルによって変更可能であり、自セルの信号を増強すると同時に隣接セルの干渉を低減することが可能である。
【０００４】
図１は通信システムにおける各通信セル間の協調式ビーム形成のモデルである。図１に示すように、当該システムは３つ（ただし３つに限らない）の基地局（セル）ｅＮＢ１、ｅＮＢ２およびｅＮＢ３を有し、このうち基地局ｅＮＢ１はこの３つのセルの境界に位置するユーザ装置ＵＥのサービング基地局である。ユーザ装置ＵＥは、自己のサービング基地局ｅＮＢ１から信号を受信するが、同時に隣接セルの基地局ｅＮＢ２およびｅＮＢ３から干渉を受信する。ユーザ装置ＵＥは、サービングセルのチャネルと隣接セルのチャネルを測定して、これらいくつかのチャネルのチャネル情報をサービング基地局ｅＮＢ１に周期的にフィードバックする必要があり、これによってサービング基地局ｅＮＢ１がビーム形成のプリコーディングベクトルを設計してサービングセルｅＮＢ１の信号を増強するとともに、基地局間通信を通じて対応チャネルのチャネル情報を当該セルの基地局に通知して、それら基地局にも自身のビーム形成のプリコーディングベクトルを調整してサービングセルｅＮＢ１に対する干渉を低減させる。
【０００５】
ここでのチャネル情報は、各チャネルのＰＭＩ（Precoding Matrix Index：プリコーディング行列インデックス）、またはＣＳＩ（Channel Status Information：チャネル状態情報）等でありうる。
【０００６】
図２はユーザ装置ＵＥのサービングセルの基地局ｅＮＢ１へのチャネル情報報告を示す概略図である。図２に示すように、時間の推移に伴って、ユーザ装置ＵＥは、周期Ｔごとに一度、３つのセル全てのチャネル情報、例えば、サービングセルｅＮＢ１のプリコーディング行列インデックスＰＭＩ−１と、２つの隣接セルｅＮＢ２およびｅＮＢ３のプリコーディング行列インデックスＰＭＩ−２およびＰＭＩ−３とをサービングセルの基地局ｅＮＢ１に報告する。
【０００７】
上記の協調式ビーム形成において、ユーザ装置ＵＥはサービングセルｅＮＢ１のチャネル情報のフィードバックのみならず、隣接セルのチャネル情報もフィードバックする必要があるため、セル間協調伝送のない従来のシステムと比較して、協調式ビーム形成はより大きなフィードバックオーバーヘッドを必要とする。従って、フィードバックオーバーヘッドを効果的に低減することが、協調式ビーム形成の課題となる。
【発明の概要】
【０００８】
本公開の１つの態様によれば、無線通信システムにおいて参照信号を設置するための方法を提供し、当該無線通信システムはサービングセルおよび隣接セルを含み、サービングセルの移動端末は同一の時間周波数リソースを用いて、当該サービングセルからサービングリソースブロックを受信するとともに隣接セルから干渉リソースブロックを受信し、本公開の方法は、前記干渉リソースブロック中にユーザ固有参照信号を設置するステップと、前記サービングリソースブロック中の、前記干渉リソースブロック上で前記ユーザ固有参照信号が設置されている時間周波数位置と同一の時間周波数位置にパンクチャリングを行って、パンクチャリングされた時間周波数位置ではいかなる信号も伝送しないようにするステップとを含む。
【０００９】
本公開の他の態様によれば、無線通信システムを提供し、当該無線通信システムはサービングセルおよび隣接セルを含み、当該サービングセルの移動端末は同一の時間周波数リソースを用いて、当該サービングセルからサービングリソースブロックを受信するとともに隣接セルから干渉リソースブロックを受信し、当該無線通信システムは、前記干渉リソースブロック中にユーザ固有参照信号を設置する設置手段と、前記サービングリソースブロック中の、前記干渉リソースブロック上で前記ユーザ固有参照信号が設置されている時間周波数位置と同一の時間周波数位置にパンクチャリングを行って、パンクチャリングされた時間周波数位置ではいかなる信号も伝送しないようにするパンクチャリング手段とを含む。
【００１０】
本公開において提供する参照信号を設置する方法およびシステムを用いるとともに、これによってセル間の干渉電力を測定することにより、協調式ビーム形成におけるフィードバックオーバーヘッドを効果的に低減することが可能である。
【図面の簡単な説明】
【００１１】
図面と本公開の実施例を組み合わせた以下の詳細な記述から、本公開のこれらの態様、および／またはその他の態様や優位性がより明確になり、より理解しやすくなる。ここで：
【図１】通信システムにおける各通信セル間の協調式ビーム形成のモデル
【図２】ユーザ装置のサービングセルの基地局へのチャネル情報報告を示す概略図
【図３（ａ）】セル間干渉を示す概略図
【図３（ｂ）】セル間干渉を示す概略図
【図４（ａ）】本公開の実施例による適応フィードバック方式を示す概略図
【図４（ｂ）】本公開の実施例による適応フィードバック方式を示す概略図
【図５（ａ）】本公開の実施例による干渉リソースブロック上でのユーザ固有参照信号設置の図示
【図５（ｂ）】本公開の実施例による干渉リソースブロック上でのユーザ固有参照信号設置の図示
【図６（ａ）】本公開の実施例によるユーザ固有参照信号の復調参照信号としての設置の図示
【図６（ｂ）】本公開の実施例によるユーザ固有参照信号の復調参照信号としての設置の図示
【図７（ａ）】本公開の他の実施例によるユーザ固有参照信号の復調参照信号としての設置の図示
【図７（ｂ）】本公開の他の実施例によるユーザ固有参照信号の復調参照信号としての設置の図示
【図８（ａ）】セル間干渉を示す別の概略図
【図８（ｂ）】セル間干渉を示す別の概略図
【図８（ｃ）】セル間干渉を示す別の概略図
【図９（ａ）】さらに別の実施例によるユーザ固有参照信号の復調参照信号としての設置の図示
【図９（ｂ）】さらに別の実施例によるユーザ固有参照信号の復調参照信号としての設置の図示
【図１０】本公開のさらに別の実施例による電力感知参照信号の図示
【図１１（ａ）】本公開の実施例による電力感知参照信号のデータ信号の位置への設置の図示
【図１１（ｂ）】本公開の実施例による電力感知参照信号のデータ信号の位置への設置の図示
【図１２（ａ）】本公開の実施例による電力感知参照信号の復調参照信号の位置への設置の図示
【図１２（ｂ）】本公開の実施例による電力感知参照信号の復調参照信号の位置への設置の図示
【図１３（ａ）】本公開の実施例による電力感知参照信号の復調参照信号の位置への設置の他の図示
【図１３（ｂ）】本公開の実施例による電力感知参照信号の復調参照信号の位置への設置の他の図示
【図１４】本公開の他の実施例による電力感知参照信号の設置の図示
【図１５】干渉が隣接セルの複数の端末からくる場合の電力感知参照信号の設置の図示
【図１６】干渉が隣接セルの複数の端末からくる場合の電力感知参照信号の設置の他の例示の図示
【図１７】隣接セル中に複数の移動端末が存在することによる干渉リソースブロックの発生の図示
【図１８】本公開の実施例を実現するための無線通信システムの基本配置の図示
【図１９】本公開の実施例を実現するための方法のフロー図
【発明を実施するための形態】
【００１２】
以下、本公開の具体的な実施例について、図面を組み合わせて詳細に記述する。いくつかの関連する従来技術については、詳細な記述を考慮すると本公開の要点が曖昧になるおそれがあるため、ここでは詳細な記述は示さない。各実施例において、同一の機能を実行する素子または手段は、同一の符号を用いて示す。
【００１３】
本公開は、無線通信システムの下りリンクにおいてユーザ固有参照信号を設置する方式により、セル間の干渉電力を測定することを提起する。具体的な方式は、隣接セル（干渉セル）は、送信するリソースブロック（干渉リソースブロック）上にユーザ固有参照信号を設置し、サービングセル（被干渉セル）は、自身のユーザ装置（例えば、移動端末）に送信するリソースブロック（サービングリソースブロック）上の、当該ユーザ固有参照信号が存在する時間周波数位置と同一の時間周波数位置にパンクチャリングを行う。本公開はさらに、「電力感知参照信号」を設置して、電力感知参照信号を当該ユーザ固有の参照信号として用いる方式を提起する。このようにして、被干渉ユーザが干渉信号の層数を知らない場合であっても、総干渉エネルギを正確に感知することができる。この電力感知参照信号の波形指向性図は、各層の干渉信号の波形指向性図の総和と等しい、または近似的に等しいはずである。干渉が複数のユーザの信号からくる状況については、この電力感知参照信号は、複数ユーザの干渉電力の測定に用いられうる。
【００１４】
図３（ａ）および図３（ｂ）は、セル間干渉を示す概略図である。図３（ａ）に示すように、セル基地局ｅＮＢ１は、移動端末ＵＥ１と通信する際に、アンテナビームの電力を主にＵＥ１の方向に集中させ、セル基地局ｅＮＢ２もまた、移動端末ＵＥ２と通信する際に、アンテナビームの電力を主にＵＥ２の方向に集中させる。しかしながら、ＵＥ１およびＵＥ２は、それぞれ各自のサービング基地局ｅＮＢ１およびｅＮＢ２から信号を受信する際に、隣接セルｅＮＢ２およびｅＮＢ１からの干渉（図３（ａ）中の点線で示す）も受信する。ただし、いくつかの場合には、図３（ｂ）に示すように、セル基地局ｅＮＢ２のアンテナビームの方向は移動端末ＵＥ１に背離しており、そのためＵＥ１がそのサービング基地局ｅＮＢ１と通信する際に、その隣接基地局ｅＮＢ２から受信する干渉は比較的小さくなるため、その通信に対して生じる干渉も比較的小さくなりうる。それに対し、図３（ａ）に示す状況では、セル基地局ｅＮＢ２のアンテナビームの方向はより移動端末ＵＥ１寄りになっており、そのためＵＥ１がそのサービング基地局ｅＮＢ１と通信する際に、その隣接基地局ｅＮＢ２から受信する干渉は比較的大きくなるため、その通信に対して生じる干渉も比較的大きくなりうる。
【００１５】
このような状況で、本公開は、フィードバックオーバーヘッドを低減可能な解決手段、すなわち、セル間干渉が確実に存在する時にのみ、移動端末が隣接セルのチャネル情報をサービング基地局にフィードバックし、セル間干渉（信号）が存在しない時には、この隣接セルのチャネル情報をフィードバックする必要はないという解決手段を提起する。このようなフィードバック方式は、周期性フィードバック方式ではなく、適応フィードバック方式と称することができる。
【００１６】
図４（ａ）および図４（ｂ）は、本開示の実施例による適応フィードバック方式を示す概略図である。図４（ｂ）中の垂直のブロックは、移動端末ＵＥ１が受信する、隣接セルｅＮＢ２からの干渉電力を表し、ＵＥ１において測定した隣接セルｅＮＢ２からの干渉電力の値が所定の閾値（当該閾値は当業者によりシステムの実際の要求に応じて設定可能である）を超えていれば、ＵＥ１はサービングセルｅＮＢ１に当該干渉電力を報告し、受信した干渉電力の値が所定の閾値を超えていなければ、移動端末ＵＥ１はそのサービング基地局ｅＮＢ１に当該干渉電力を報告しない。つまり、隣接セルの干渉電力の大きさに応じて報告するか否か決定する必要がある。
【００１７】
上記の適応フィードバック方式は移動端末ＵＥ１が隣接セルの干渉電力を効果的に測定できることを必要とするが、従来のセル間チャネル推定の方法はいずれもＣＳＩ−ＲＳ（ＣＳＩ参照信号）に基づいている。ＣＳＩ−ＲＳは、セル固有（cell-specific）の信号であって、これはセル間干渉がない、すなわち本当の干渉信号が送信されていない場合であっても、ＣＳＩ−ＲＳは依然として通常通り送信されることを意味している。従って、ＣＳＩ−ＲＳに基づく測定では隣接セルの干渉電力を正確に反映することはできない。
【００１８】
本公開の実施例によれば、隣接セルの干渉電力を測定する解決手段も提起し、この解決手段はセル固有参照信号ではなくユーザ固有参照信号に基づいて行われ、こうすることで隣接セルの干渉電力を効果的に知ることができる。ここで、ユーザ固有参照信号は、移動端末に送信するデータと一緒に送信される、プリコーディングされた参照信号であって、当該セルのアンテナのプリコーディングベクトル情報を備えている。具体的には、被干渉セルの通信基地局、例えばｅＮＢ１が、隣接セルｅＮＢ２および／またはｅＮＢ３のユーザ固有参照信号に対応する時間周波数位置（特定の時間および周波数）上のデータをパンクチャリングすれば、換言すれば、この時間周波数位置上ではいかなるデータも送信しなければ、この時間周波数位置上で測定して得られる受信電力は隣接セルの干渉電力である。
【００１９】
以下、本公開の実施例について、図面を組み合わせて具体的に記述する。
【００２０】
図５（ａ）および図５（ｂ）は、本開示の実施例による干渉リソースブロック上でのユーザ固有参照信号設置の図示である。図３（ａ）および図３（ｂ）に示すような環境下では、移動端末ＵＥ１はそのサービング基地局ｅＮＢ１からサービング信号を受信することができ、同時に隣接セルの基地局ｅＮＢ２（干渉源）から干渉信号を受信する。図５（ａ）は移動端末ＵＥ１がサービングセルｅＮＢ１から受信する信号のリソースブロック（以下、サービングリソースブロックと称する）ＲＢ１を表し、その横軸は時間ｔを、縦軸は周波数を表し、それぞれの四角形はリソースユニットを表す。移動端末ＵＥ１がサービング基地局ｅＮＢ１から受信する全ての情報信号リソースは、時間および周波数上で連続する複数のサービングリソースブロックＲＢ１により構成される。各サービングリソースブロックＲＢ１は、１つの時間帯（例えば、時刻ｔ１から時刻ｔ２）および１つの周波数領域（例えば、周波数ｆ１から周波数ｆ２）上で伝送される情報信号である。サービングリソースブロックＲＢ１の前３列のリソースユニットは制御区であって、制御データの伝送を担当し、斜線で表したリソースユニットは、具体的にＬＴＥシステムのＲｅｌ−８  ＲＳ（Ｒｅｌ−８参照信号）を示すことができる。無色で表したリソースユニットは、データ信号の伝送に用いられる。濃色で表したリソースユニットは、セル固有のＣＳＩ−ＲＳ信号を示す。ＣＳＩ−ＲＳ信号の数量は本公開を制限するものではなく、システムの要求に応じていかなる数量のＣＳＩ−ＲＳ信号を設置してもよい。
【００２１】
図５（ｂ）は移動端末ＵＥ１が隣接セルｅＮＢ２から受信する干渉信号のリソースブロック（以下、干渉リソースブロックと称する）ＲＢ２を表す。同様に、干渉リソースブロックＲＢ２の横軸は時間ｔを、縦軸は周波数を表し、それぞれの四角形はリソースユニットを表す。移動端末ＵＥ１が隣接セルの基地局ｅＮＢ２から受信する全ての干渉信号のリソースも、時間および周波数上で連続する複数の干渉リソースブロックＲＢ２により構成される。各干渉リソースブロックＲＢ２は、１つの時間帯（例えば、時刻ｔ１から時刻ｔ２）および１つの周波数領域（例えば、周波数ｆ１から周波数ｆ２）上で伝送される信号である。干渉リソースブロックＲＢ２の前３列のリソースユニットは制御区であって、制御データの伝送を担当し、斜線で示したリソースユニットは、ＬＴＥシステムのＲｅｌ−８  ＲＳ（Ｒｅｌ−８参照信号）を具体的に示すことができる。無色で表したリソースユニットは、データ信号の伝送に用いられる。濃色で表したリソースユニットは、セル固有のＣＳＩ−ＲＳ信号を示す。ＣＳＩ−ＲＳ信号の数量は本公開を制限するものではなく、システムの要求に応じていかなる数量のＣＳＩ−ＲＳ信号を設置してもよい。
【００２２】
すなわち、サービングリソースブロックＲＢ１および干渉リソースブロックＲＢ２は、それぞれ複数のリソースユニットからなり、各リソースユニットは異なる時間周波数位置（特定の時間および周波数の範囲）を占有し、制御信号、チャネル状態情報参照信号および／またはデータ信号の伝送にそれぞれ用いられる。サービングリソースブロックＲＢ１および干渉リソースブロックＲＢ２は同一の時間周波数リソース上に位置するため、これらは重ね合わせられているとみなすことができる。
【００２３】
本公開の実施例によれば、図３（ａ）および図３（ｂ）に示すようなシステム環境において、当該無線通信システムはサービングセル（基地局）ｅＮＢ１および隣接セル（基地局）ｅＮＢ２を含み、サービングセルｅＮＢ１の移動端末ＵＥ１は、同一の時間周波数リソースを用いて、すなわち同一の時間および周波数の範囲内で、サービングセルｅＮＢ１からサービングリソースブロックＲＢ１を受信するとともに、隣接セルｅＮＢ２から干渉リソースブロックＲＢ２を受信すると、当該無線通信システムにおける各セルｅＮＢ１および／またはｅＮＢ２は、対応の移動端末（例えば、ＵＥ１および／またはＵＥ２）に送信する下りリンクにおいて、参照信号を次のように設置する：隣接セルｅＮＢ２は、干渉リソースブロックＲＢ２中にユーザ固有参照信号を設置し、サービングセルｅＮＢ１は、サービングリソースブロックＲＢ１中の、干渉リソースブロックＲＢ２上で当該ユーザ固有参照信号が設置されている時間周波数位置と同一の時間周波数位置に対してパンクチャリングを行って、パンクチャリングされた時間周波数位置ではいかなる信号も伝送しないようにする。
【００２４】
具体的には、図５（ｂ）に示す干渉リソースブロックＲＢ２中には、１つまたは複数のユーザ固有参照信号（１つのみ示す）を含むことが可能であり、ここでは文字Ｕで表す。このユーザ固有参照信号Ｕは、隣接セルの基地局ｅＮＢ２のプリコーディングを経て、干渉リソースブロックＲＢ２と一緒に送信され、当該隣接セルの基地局ｅＮＢ２が移動端末ＵＥ２と通信を行うプリコーディングベクトル情報を含んでいる。このような状況で、移動端末ＵＥ１のサービング基地局ｅＮＢ１は、隣接セルの基地局ｅＮＢ２との協議（当業者が熟知している方式による）によってユーザ固有参照信号Ｕの干渉リソースブロックＲＢ２における位置を取得することができ、図５（ａ）のサービングリソースブロックＲＢ１中の網掛け線で表すリソースユニット（Ｕ１で表す）に示すような、ｅＮＢ１自身により送信されるサービングリソースブロックＲＢ１の同一の時間周波数位置にパンクチャリングを行う。つまり、サービングリソースブロックＲＢ１のリソースユニットＵ１においてはいかなる信号も送信しない。
【００２５】
このようにして、移動端末ＵＥ１は、パンクチャリングされた時間周波数位置における当該ユーザ固有参照信号の電力を、隣接セルｅＮＢ２から受信する干渉電力として測定することができる。具体的には、移動端末ＵＥ１がサービング基地局ｅＮＢ１からサービングリソースブロックＲＢ１を受信し、および、同一の時間周波数リソース（同一の時間および周波数の範囲内）で隣接セルの基地局ｅＮＢ２から干渉リソースブロックＲＢ２を受信した際には、移動端末ＵＥ１はＵおよびＵ１の位置（同一の時間周波数位置）における信号の総電力を測定することができる。リソースユニットＵ１はいかなる信号も伝送しないため、測定される信号の総電力はＵにおいて伝送された信号の電力であり、隣接セルｅＮＢ２からの干渉電力を示すことができる。こうして、移動端末ＵＥ１は隣接セルｅＮＢ２からの干渉電力を取得することができる。また、測定された隣接セルｅＮＢ２からの干渉電力が所定の閾値を超えていれば、移動端末ＵＥ１は当該干渉電力をサービングセルｅＮＢ１に報告する。
【００２６】
図６（ａ）および図６（ｂ）は、本開示の実施例によるユーザ固有参照信号の復調参照信号としての設置の図示である。例えばＬＴＡ−Ａ無線通信システムにおいて、セル基地局により送信されるリソースブロック中には、さらに復調参照信号（ＤＭ−ＲＳ）が含まれており、この復調参照信号自体がユーザ固有の参照信号である。つまり、復調参照信号は、サービング基地局ｅＮＢ１および／またはｅＮＢ２が移動端末ＵＥ１および／またはＵＥ２に送信するデータに伴って送信される、プリコーディングを経た参照信号であり、送信セルのアンテナのプリコーディングベクトル情報を備えており、また、当該移動端末ＵＥ１および／またはＵＥ２がサービング基地局ｅＮＢ１および／またはｅＮＢ２により送信されたデータを復調する参照信号である。従って、図６（ａ）および図６（ｂ）において、復調参照信号はユーザ固有参照信号の１つの実例であり、すなわち、当該ユーザ固有参照信号を干渉リソースブロックにおける復調参照信号として設置することが可能である。
【００２７】
図６（ａ）および図６（ｂ）は、図５（ａ）および図５（ｂ）と基本的に同様であり、図６（ａ）および図６（ｂ）において図５（ａ）および図５（ｂ）と同一の部分については、ここではあらためて述べないが、図６（ａ）のサービングリソースブロックＲＢ１’および図６（ｂ）の干渉リソースブロックＲＢ２’においてそれぞれ復調参照信号をさらに示しており、ここでは横線によって表されるリソースユニットで示している。ここでは４つの復調参照信号を示しているが、復調参照信号の数量は本公開を制限するものではなく、システムの要求に応じていかなる数量の復調参照信号を設置してもよい。図６（ａ）および図６（ｂ）からは、サービングリソースブロックＲＢ１’における復調参照信号の位置と干渉リソースブロックＲＢ２’における復調参照信号の位置とは、時間周波数リソース上では重ならないことが見て取れる。ここで、サービングリソースブロックＲＢ１’および干渉リソースブロックＲＢ２’は、それぞれ複数のリソースユニットからなり、各リソースユニットは異なる時間周波数位置（特定の時間および周波数の範囲）を占有し、制御信号、チャネル状態情報参照信号、復調参照信号および／またはデータ信号の伝送にそれぞれ用いられる。
【００２８】
このような状況で、移動端末ＵＥ１のサービング基地局ｅＮＢ１は、隣接セルの基地局ｅＮＢ２との協議によってリソースブロックＲＢ２’における復調参照信号の位置（そのうちの１つの復調参照信号のみを選択することが可能であり、ここではＵで表すが、１つに限らなくてもよい）を取得することができ、図６（ａ）のサービングリソースブロックＲＢ１’中で網掛け線で表すリソースユニット（Ｕ１で表す）に示すような、ｅＮＢ１自身により送信されるサービングリソースブロックＲＢ１’の対応の時間周波数位置にパンクチャリングを行う。つまり、サービングリソースブロックＲＢ１’のリソースユニットＵ１においてはいかなる信号も送信しない。
【００２９】
移動端末ＵＥ１がサービング基地局ｅＮＢ１からサービングリソースブロックＲＢ１’を受信し、および、同一の時間周波数リソース（同一の時間および周波数の範囲内）で隣接セルの基地局ｅＮＢ２から干渉リソースブロックＲＢ２’を受信した際には、移動端末ＵＥ１はＵおよびＵ１の位置（同一の位置）における信号の総電力を測定することができる。リソースユニットＵ１はいかなる信号も伝送しないため、測定される信号の総電力はＵにおいて伝送された復調参照信号の電力である。送信セルの復調参照信号の波形指向性図は当該送信セルの各送信信号全体の波形指向性図と同一であるため、その電力は隣接セルｅＮＢ２からの干渉電力を示すことができる。こうして、移動端末ＵＥ１は隣接セルｅＮＢ２からの干渉電力を取得することができる。また、測定された隣接セルｅＮＢ２からの干渉電力が所定の閾値を超えていれば、移動端末ＵＥ１は当該干渉電力をサービングセルｅＮＢ１に報告する。
【００３０】
図７（ａ）および図７（ｂ）は、本公開の他の実施例によるユーザ固有参照信号の復調参照信号としての設置の図示であり、ユーザ固有参照信号を干渉リソースブロック中の固有の復調参照信号以外の新たな復調参照信号として設置することが可能である。図７（ａ）および図７（ｂ）は、図６（ａ）および図６（ｂ）と基本的に同様であり、図７（ａ）および図７（ｂ）において図６（ａ）および図６（ｂ）と同一の部分については、ここではあらためて述べないが、図７（ｂ）の干渉リソースブロックＲＢ２’において、新たに設置される復調参照信号をさらに示しており、ここではＵで示している。
【００３１】
本公開のこの実施例によれば、隣接セルの基地局ｅＮＢ２は、干渉リソースブロックＲＢ２’において、固有の復調参照信号以外の位置に、新たな復調参照信号Ｕを挿入している。当該復調参照信号Ｕも、干渉リソースブロックＲＢ２’におけるその他の固有の復調参照信号と同様に、送信アンテナのプリコーディングベクトル情報を具備している。このような状況で、移動端末ＵＥ１のサービング基地局ｅＮＢ１は、隣接セルの基地局ｅＮＢ２との協議によって、干渉リソースブロックＲＢ２’中に挿入される当該復調参照信号Ｕの位置を取得することができ、図７（ａ）のサービングリソースブロックＲＢ１’中の網掛け線で表すリソースユニット（Ｕ１で表す）に示すような、サービング基地局ｅＮＢ１自身により送信されるサービングリソースブロックＲＢ１’の同一の時間周波数位置にパンクチャリングを行う。つまり、サービングリソースブロックＲＢ１’のリソースユニットＵ１においてはいかなる信号も送信しない。
【００３２】
移動端末ＵＥ１がサービング基地局ｅＮＢ１からサービングリソースブロックＲＢ１’を受信し、および、同一の時間周波数リソース（同一の時間および周波数の範囲内）で隣接セルの基地局ｅＮＢ２から干渉リソースブロックＲＢ２’を受信した際には、移動端末ＵＥ１はＵおよびＵ１の位置（同一の位置）における信号の総電力を測定することができる。リソースユニットＵ１は信号を伝送しないため、測定される信号の総電力はＵにおいて伝送された復調参照信号の電力である。送信セルの復調参照信号の波形指向性図は当該送信セルの各送信信号全体の波形指向性図と同一であるため、その電力は隣接セルｅＮＢ２からの干渉電力を示すことができる。こうして、移動端末ＵＥ１は隣接セルｅＮＢ２からの干渉電力を取得することができる。また、測定された隣接セルｅＮＢ２からの干渉電力が所定の閾値を超えていれば、移動端末ＵＥ１は当該干渉電力をサービングセルｅＮＢ１に報告する。
【００３３】
図８（ａ）、図８（ｂ）および図８（ｃ）は、セル間干渉を示す別の概略図である。図８（ａ）に示すように、存在する隣接セルの数量は２つに限られず、例えば３つのように多くなってもよい。具体的には、移動端末ＵＥ１は、そのサービング基地局ｅＮＢ１から信号（サービングリソースブロック）を受信する際には、図８（ａ）における破線で示すように、隣接セルｅＮＢ２からの干渉信号（干渉リソースブロック）、および隣接セルｅＮＢ３からの干渉信号（干渉リソースブロック）を受信する。サービングセルｅＮＢ１の移動端末ＵＥ１は、異なる状況に応じて、同一の時間周波数リソース上で隣接セルｅＮＢ２およびｅＮＢ３のそれぞれから、２つまたはさらに多くの干渉リソースブロックを受信する。これらの干渉リソースブロックは同一の時間周波数リソース上に位置するため、これらを二層または多層が重ねられたものとみなすことができ、総干渉電力は重ねられた多層の干渉リソースブロックの電力の総和に等しい。つまり、サービングセルｅＮＢ１の移動端末ＵＥ１が隣接セルｅＮＢ２およびｅＮＢ３から受信する干渉リソースブロックは、多層であってもよい。
【００３４】
多層の干渉リソースブロックが生じる状況は図８（ａ）に示す干渉信号が異なるセルからのものである場合に限られず、図８（ｂ）に示すように、干渉信号が複数ユーザの信号に起因する場合もありうる。図８（ｂ）において、隣接セルの基地局ｅＮＢ２は複数（ここでは２つを示している）の移動端末ＵＥ２およびＵＥ２’を有し、移動端末ＵＥ２およびＵＥ２’と通信する際に、セル基地局ｅＮＢ２はアンテナビームの電力を主にＵＥ２およびＵＥ２’の方向に集中させる。移動端末ＵＥ１がそのサービング基地局ｅＮＢ１から信号を受信する際には、図８（ｂ）における破線で示すように、隣接セルｅＮＢ２からの２つまたはそれ以上の干渉も受信しうる。複数のユーザＵＥ２およびＵＥ２’からの信号の干渉については、多層の干渉リソースブロックを応用して近似することも可能である。
【００３５】
さらに、図８（ｃ）に示すように、サービングセルｅＮＢ１の移動端末ＵＥ１がそのサービング基地局ｅＮＢ１から信号を受信する際には、図８（ｃ）における破線で示すように、隣接セルｅＮＢ２および隣接セルｅＮＢ３からの複数の干渉も受信しうる。これらの干渉リソースブロックは同一の時間周波数リソース上に位置するため、これらを重ねられた多層の干渉リソースブロックとみなすことができ、総干渉電力は重ねられた多層の干渉リソースブロックの電力の総和に等しい。つまり、サービングセルｅＮＢ１の移動端末ＵＥ１が隣接セルｅＮＢ２および／またはｅＮＢ３から受信する干渉リソースブロックは、多層であってもよい。
【００３６】
図９（ａ）および図９（ｂ）は、本開示のさらに別の実施例によるユーザ固有参照信号の復調参照信号としての設置の図示である。図８（ａ）、図８（ｂ）および図８（ｃ）に示すような環境下で、移動端末ＵＥ１はサービング基地局ｅＮＢ１からサービングリソースブロックＲＢ１”を受信し、同時に隣接セルの基地局ｅＮＢ２および／またはｅＮＢ３から干渉リソースブロックＲＢ”を受信する。図９（ａ）は移動端末ＵＥ１がサービングセルｅＮＢ１から受信するサービングリソースブロックＲＢ１”を示し、これは図７（ａ）に示すサービングリソースブロックＲＢ１’と基本的に同様であって、図９（ａ）において図７（ａ）と同一の部分については、ここではあらためて述べない。
【００３７】
図９（ｂ）は移動端末ＵＥ１が同一の時間周波数リソース（例えば、時間帯ｔ１からｔ２および周波数帯ｆ１からｆ２）上で隣接セルｅＮＢ２および／またはｅＮＢ３から受信する多層の干渉リソースブロックを重ね合わせたもの、すなわち、第一層の干渉リソースブロックＲＢ２”と第二層の干渉リソースブロックＲＢ３”との和を表す。干渉リソースブロックＲＢ２”およびＲＢ３”のそれぞれは、いずれも図７（ｂ）に示す干渉リソースブロックＲＢ２’と基本的に同様であり、図９（ｂ）において図７（ｂ）と同一の部分については、ここではあらためて述べない。図９（ｂ）に示す二層の干渉リソースブロックＲＢ２”およびＲＢ３”において、第一層の干渉リソースブロックＲＢ２”における復調参照信号をＬ０で表し、第二層の干渉リソースブロックＲＢ３”における復調参照信号をＬ１で表す点が異なる。サービングリソースブロックＲＢ１”、第一層の干渉リソースブロックＲＢ２”および第二層の干渉リソースブロックＲＢ３”における復調参照信号の時間周波数位置が互いに重ならない点に注意する。
【００３８】
このような状況で、移動端末ＵＥ１のサービング基地局ｅＮＢ１は、隣接セルの基地局ｅＮＢ２および／またはｅＮＢ３との協議によって、干渉リソースブロックＲＢ２”およびＲＢ３”における復調参照信号の時間周波数位置をそれぞれ取得することができ、サービングセルの基地局ｅＮＢ１自身により送信されるサービングリソースブロックＲＢ１”の同一の時間周波数位置それぞれにパンクチャリングを行う。具体的には、用いられる復調参照信号として、第一層の干渉リソースブロックＲＢ２”の左上側の復調参照信号の位置を選択してＵで表すとともに、第二層の干渉リソースブロックＲＢ３”の左上側の復調参照信号の位置を選択してＶで表す。サービングセルの基地局ｅＮＢ１は、図９（ａ）のサービングリソースブロックＲＢ１”における網掛け線で表すリソースユニット（それぞれＵ１およびＶ１で表す）に示すように、自身が送信するリソースブロックＲＢ１”の対応する二つの位置でパンクチャリングを行う。つまり、サービングリソースブロックＲＢ１”のリソースユニットＵ１およびＶ１においてはいかなる信号も送信しない。
【００３９】
また、各リソースブロックにおける復調参照信号の位置は直交しているため、干渉リソースブロックＲＢ２”およびＲＢ３”を送信する際は、隣接セルの基地局ｅＮＢ２および／またはｅＮＢ３は、二層の干渉リソースブロックＲＢ２”およびＲＢ３”において、他方の干渉リソースブロックＲＢ３”およびＲＢ２”における復号参照信号の位置に対応する位置においてさらにパンクチャリングを行い、これにより、パンクチャリングされた位置ではいかなる信号も送信しない。具体的には、第一層の干渉リソースブロックＲＢ２”において、第二層の干渉リソースブロックＲＢ３”の復調参照信号Ｖの位置に対応する位置においてパンクチャリングを行い（例えば、Ｖ１’で表す）、第二層の干渉リソースブロックＲＢ３”においても、第一層の干渉リソースブロックＲＢ２”の復調参照信号Ｕの位置に対応する位置においてパンクチャリングを行う（例えば、Ｕ１’で表す）。こうして、第一層の干渉リソースブロックＲＢ２”における復調参照信号Ｕ、および、第二層の干渉リソースブロックＲＢ３”における復調参照信号Ｖのそれぞれの直交化が実現される。つまり、本開示の実施例は、ユーザ固有参照信号（ここでは復調参照信号）を各層の干渉リソースブロック中の一層に設置し、この一層以外の他の層の干渉リソースブロックにおける当該ユーザ固有参照信号と同一の時間周波数位置でパンクチャリングを行い、パンクチャリングされた当該位置ではいかなる信号も送信しない。
【００４０】
移動端末ＵＥ１がサービング基地局ｅＮＢ１からサービング信号を受信し、および、同一の時間周波数リソース（同一の時間および周波数の範囲内）で隣接セルの基地局ｅＮＢ２および／またはｅＮＢ３から干渉信号を受信した際には、移動端末ＵＥ１は各リソースブロックのＵおよびＶの位置における信号の電力をそれぞれ測定することができる。リソースユニットＵ１、Ｖ１、およびリソースユニットＵ１’、Ｖ１’はいずれも信号を送信しないため、測定されたリソースユニットＵにおける信号電力およびリソースユニットＶにおける信号電力は、それぞれ第一層のリソースブロックＲＢ２”および第二層のリソースブロックＲＢ３”の干渉電力である。こうして、移動端末ＵＥ１は各隣接セルｅＮＢ２および／またはｅＮＢ３からの干渉電力を取得することができる。また、測定された隣接セルｅＮＢ２および／またはｅＮＢ３からの干渉電力が所定の閾値を超えていれば、移動端末ＵＥ１は閾値を超えた当該干渉電力をサービングセルｅＮＢ１に報告する。
【００４１】
以下、「干渉リソースブロックＲＢ”の信号電力が干渉リソースブロックＲＢ２”の信号電力と干渉リソースブロックＲＢ３”の信号電力との和に等しい」ことを証明可能である。
【００４２】
上記のように、隣接セルの干渉が多層の信号である場合には、異なる層同士の参照信号は、例えば時間分割直交または周波数分割直交のように直交するはすである。多層の信号の電力測定の問題を解決するために、ここでは二層の干渉を送信すると仮定すると、対応の数学モデルは以下の式で表される。なお、以下の各式では、ベクトルを→で表す。
【数１】
0005591913.tif 000002
【００４３】
ここで、ベクトルＷdataは全体の干渉を示し、ｓ１およびｓ２はそれぞれ第一層のデータおよび第二層のデータを示し、導出の過程において、ｓ１およびｓ２は独立したランダムな変数である、すなわちこれらの相互相関はゼロであると仮定する。ベクトルＷ１およびベクトルＷ２はそれぞれ第一層のプリコーディングベクトルおよび第二層のプリコーディングベクトルを示す。すると、方向θにおいて、受信する干渉信号は以下の式で表される。
【数２】
0005591913.tif 000003
【００４４】
ここで、Ｓdata(θ)は方向θにおいて受信される干渉信号であり、ベクトルνθは方向θにおける行列の応答ベクトルであり、(.)Ｈは共役置換を示す。
【００４５】
すると、方向θにおいて受信する電力は以下の式で表される。
【数３】
0005591913.tif 000004
ここで、Ｐ１（θ）およびＰ２（θ）はそれぞれ第一層の信号および第二層の信号の方向θにおける電力を示す。
【００４６】
以上の導出から、多層のデータの、ある方向における電力（波形指向性図―基地局によりアンテナアレイのプリコーディングベクトルに応じて調整されうる）は、各層のデータのこの方向における電力（波形指向性図）の和であることが見て取れるため、本公開の解決手段が正確であることが理解できる。
【００４７】
符号分割多重の復調参照信号は、その波形指向性図がデータの波形指向性図と完全に異なるため、干渉電力の推定に用いることはできない点に注意すべきである。符号分割多重の復調参照信号の送信信号の例を挙げると以下の式で表される。
【数４】
0005591913.tif 000005
【００４８】
先に述べたデータの波形指向性図の計算と同様にして、以下の結果を得る。
【数５】
0005591913.tif 000006
上記の計算から、符号多重の復調参照信号は、データの干渉電力を正確に反映できないことが理解できる。
【００４９】
図１０は、本開示のさらに別の実施例による電力感知参照信号の図示である。
【００５０】
本公開のさらに別の実施例によって一種の新たなユーザ固有の参照信号を設計し、ここでは「電力感知参照信号」と称する。
【００５１】
電力感知参照信号は、隣接セルの基地局ｅＮＢ２および／またはｅＮＢ３が移動端末ＵＥ２、ＵＥ２’および／またはＵＥ３に送信するデータに伴って送信される、プリコーディングされた参照信号であって、当該セルの送信アンテナのプリコーディングベクトルの情報を備えている。上記より、符号分割多重の復調参照信号はデータの干渉電力を正確に反映できないことが理解でき、同様の理由で、このことはいかなるユーザ固有の参照信号にも適用でき、換言すれば、符号分割多重のユーザ固有参照信号はいすれもデータの干渉電力を正確に反映できない。このことから、電力感知参照信号に対してプリコーディングベクトルの所定の設計を行ってはじめて、干渉電力の推定が実現できることが理解できる。
【００５２】
図１０に示すように、例えば隣接セルｅＮＢ２および／またはｅＮＢ３において電力感知参照信号を設置して、電力感知参照信号の波形指向性図がサービングセルｅＮＢ１の移動端末ＵＥ１が受信する、隣接セルｅＮＢ２および／またはｅＮＢ３からの全干渉信号（多層の干渉）の波形指向性図の総和、すなわち第一層の干渉信号（干渉リソースブロックＲＢ２”）と第二層の干渉信号（干渉リソースブロックＲＢ３”）との波形指向性図を重ね合わせたものに等しくなるようにする。つまり、本公開におけるユーザ固有参照信号を電力感知参照信号として設置するとともに、電力感知参照信号の波形指向性図を、各干渉リソースブロックの全信号の波形指向性図を重ね合わせたものと等しく、または近似的に等しくすることができる。
【００５３】
電力感知参照信号の設計は、以下の数種類の方法の一種類または数種類によって実現される：
方法１：干渉信号を送信する基地局（例えば、隣接セルの基地局ｅＮＢ２および／またはｅＮＢ３）においてプリコーディングベクトルデータベースを探索し、各層の干渉リソースブロックの送信信号の全体の波形指向性図に最も合致するプリコーディングベクトルを探し出して、設計した電力感知参照信号のプリコーディングベクトルとする。
【００５４】
方法２：符号帳に基づいて各層の干渉リソースブロックの信号のプリコーディングベクトルを設置し、可能なプリコーディング行列の数量を有限にする。この状況では、あるプリコーディング行列に対応する電力感知参照信号のプリコーディングベクトルを予め記憶しておくことが可能である。
【００５５】
方法３：干渉リソースブロックにおける各層の信号の波形指向性図を算出するとともに、各層の波形指向性図を重ね合わせて、電力感知参照信号の波形指向性図とし、その後、電力感知参照信号の波形指向性図に基づいてスペクトル分解を行って、電力感知参照信号のプリコーディングベクトルを取得する。方法３の算出方法は以下の通りである：図１０に示すように二層の干渉リソースブロックを具備する場合に、隣接セルの基地局ｅＮＢ２および／またはｅＮＢ３にとっては、第一層の干渉リソースブロックＲＢ２”および第二層の干渉リソースブロックＲＢ３”それぞれのプリコーディングベクトルは既知であるため、隣接セルの基地局ｅＮＢ２および／またはｅＮＢ３は干渉リソースブロックＲＢ２”およびＲＢ３”のプリコーディングベクトルに対してそれぞれ高速フーリエ変換を行い、その後、高速フーリエ変換後に得られた結果の絶対値を取って、干渉リソースブロックＲＢ２”およびＲＢ３”それぞれの波形指向性図を取得し、さらに干渉リソースブロックＲＢ２”およびＲＢ３”それぞれの波形指向性図を重ね合わせて、重ね合わせられた全体の波形指向性図を取得する。その後、この全体の波形指向性図をスペクトル分解することにより、当該電力感知参照信号のプリコーディングベクトルを取得するとともに、取得したプリコーディングベクトルにより、隣接セルの基地局ｅＮＢ２および／またはｅＮＢ３により当該全体の波形指向性図に対応する電力感知参照信号を設置する。干渉リソースブロックの層の数は本公開を制限するものではなく、本公開の実施例の干渉リソースブロックは任意の層数を含むことが可能である。
【００５６】
電力感知参照信号は、復調参照信号（ＤＭ−ＲＳ）の時間周波数リソースを占有しても、占有しなくてもよい。実際には、電力感知参照信号の具体的な位置は重要ではなく、パンクチャリング位置と電力感知参照信号の位置とが対応しておりさえすればよいのであって、重要なのは、電力感知参照信号の波形指向性図が、各層の信号の波形指向性図の総和と等しい、または近似的に等しくなるべきであるという点である。この場合、被干渉セルは電力感知参照信号の受信電力から総干渉電力を知ることができる。
【００５７】
図１１（ａ）および図１１（ｂ）は、本開示の実施例による電力感知参照信号のデータ信号の位置への設置の図示である。図１１（ａ）および図１１（ｂ）は、図９（ａ）および図９（ｂ）と基本的に同様であり、図１１（ａ）および図１１（ｂ）において図９（ａ）および図９（ｂ）と同一の部分については、ここではあらためて述べない。
【００５８】
図１１（ｂ）にはさらに、第一層の干渉リソースブロックＲＢ２”および第二層の干渉リソースブロックＲＢ３”のいずれかに設置されることが可能な電力感知参照信号が示されており、ここでは、電力感知参照信号を第二層の干渉リソースブロックＲＢ３”上に設置し、かつ、第二層の干渉リソースブロックＲＢ３”の、データ信号の送信に用いるリソースユニット中に設置すると仮定し、ここではＷで表す。こうして、当該リソースユニットはデータ信号を送信できなくなる。
【００５９】
このような状況で、サービングセルの基地局ｅＮＢ１は、図１１（ａ）のサービングリソースブロックＲＢ１”における網掛け線で表すリソースユニット（Ｗ１で表す）に示すように、自身が送信するリソースブロックＲＢ１”における、電力感知参照信号Ｗに対応する位置でパンクチャリングを行う。つまり、サービングリソースブロックＲＢ１”のリソースユニットＷ１においてはいかなる信号も送信しない。また、各リソースブロックにおける電力感知参照信号の位置では直交しているため、干渉リソースブロックＲＢ２”およびＲＢ３”を送信する際は、隣接セルの基地局ｅＮＢ２および／またはｅＮＢ３は、第一層の干渉リソースブロックＲＢ２”における第二層の干渉リソースブロックＲＢ３”の電力感知参照信号の位置に対応する位置Ｗ１’においてさらにパンクチャリングを行い（図示せず）、これにより、パンクチャリングされた位置ではいかなる信号も送信しない。こうして、第二層の干渉リソースブロックＲＢ３”における電力感知参照信号Ｗの直交化が実現される。つまり、本開示の実施例は、電力感知参照信号を多層の干渉リソースブロック中の一層に設置し、この一層以外の他の層の干渉リソースブロックにおける当該電力感知参照信号と同一の時間周波数位置でパンクチャリングを行って、いかなる信号も送信しないようにする。
【００６０】
この実施例においては、電力感知参照信号はデータ信号の伝送のためのリソースユニットを占有しており、換言すれば、電力感知参照信号を干渉リソースブロックにおけるデータ信号の時間周波数位置に設置している。
【００６１】
移動端末ＵＥ１がサービング基地局ｅＮＢ１からサービング信号を受信し、および、同一の時間周波数リソースを用いて隣接セルの基地局ｅＮＢ２および／またはｅＮＢ３から多層（例えば二層）の干渉信号を受信した際には、移動端末ＵＥ１は電力感知参照信号Ｗの位置における信号電力を測定することができる。電力感知参照信号Ｗの波形指向性図は第一層の干渉リソースブロックＲＢ２”および第二層の干渉リソースブロックＲＢ３”それぞれの波形指向性図の総和に等しく、リソースユニットＷ１およびＷ１’ではいかなる信号も伝送しないため、測定された信号電力は第一層の干渉リソースブロックＲＢ２”および第二層の干渉リソースブロックＲＢ３”の総干渉電力である。こうして、移動端末ＵＥ１は隣接セルｅＮＢ２および／またはｅＮＢ３からの干渉電力を取得することができる。また、測定された隣接セルｅＮＢ２および／またはｅＮＢ３からの干渉電力が所定の閾値を超えていれば、移動端末ＵＥ１は閾値を超えた当該干渉電力をサービングセルｅＮＢ１に報告する。
【００６２】
図１２（ａ）および図１２（ｂ）は、本開示の実施例による電力感知参照信号の復調参照信号の位置への設置の図示である。図１２（ａ）および図１２（ｂ）は、図１１（ａ）および図１１（ｂ）と基本的に同様であり、図１２（ａ）および図１２（ｂ）において図１１（ａ）および図１１（ｂ）と同一の部分については、ここではあらためて述べない。
【００６３】
本公開の実施例によれば、電力感知参照信号を第一層の干渉リソースブロックＲＢ２”および第二層の干渉リソースブロックＲＢ３”のいずれかの復調参照信号の位置に設置することが可能であり、図１２（ｂ）には、電力感知参照信号を第一層の干渉リソースブロックＲＢ２”の復調参照信号の位置に設置することが示されており、ここではＷで表す。こうして、当該位置では当該復調参考信号を送信しない。
【００６４】
このような状況で、サービングセルの基地局ｅＮＢ１は、図１２（ａ）のサービングリソースブロックＲＢ１”における網掛け線で表すリソースユニット（Ｗ１で表す）に示すように、自身が送信するリソースブロックＲＢ１”における、電力感知参照信号Ｗに対応する位置でパンクチャリングを行う。つまり、サービングリソースブロックＲＢ１”のリソースユニットＷ１においてはいかなる信号も送信しない。また、各リソースブロックにおける電力感知参照信号の位置では直交しているため、干渉リソースブロックＲＢ２”およびＲＢ３”を送信する際は、隣接セルの基地局ｅＮＢ２および／またはｅＮＢ３は、第二層の干渉リソースブロックＲＢ３”における第一層の干渉リソースブロックＲＢ２”の電力感知参照信号の位置に対応する位置Ｗ１’においてさらにパンクチャリングを行い（図示せず）、これにより、パンクチャリングされた位置ではいかなる信号も送信しない。こうして、第一層の干渉リソースブロックＲＢ２”における電力感知参照信号Ｗの直交化が実現される。つまり、本開示の実施例は、電力感知参照信号を多層の干渉リソースブロック中の一層に設置し、この一層以外の他の層の干渉リソースブロックにおける当該電力感知参照信号と同一の時間周波数位置でパンクチャリングを行って、いかなる信号も送信しないようにする。
【００６５】
この実施例においては、電力感知参照信号は復調参照信号の伝送のためのリソースユニットを占有しており、換言すれば、電力感知参照信号を干渉リソースブロックにおける復調参照信号の時間周波数位置に設置しており、このようにしてデータ伝送の時間周波数リソースを節約することが可能である。
【００６６】
移動端末ＵＥ１がサービング基地局ｅＮＢ１からサービング信号を受信し、および、同一の時間周波数リソースを用いて隣接セルの基地局ｅＮＢ２および／またはｅＮＢ３から多層（例えば二層）の干渉信号を受信した際には、移動端末ＵＥ１は電力感知参照信号Ｗの位置における信号電力を測定することができる。電力感知参照信号Ｗの波形指向性図は第一層の干渉リソースブロックＲＢ２”および第二層の干渉リソースブロックＲＢ３”それぞれの波形指向性図の総和に等しく、リソースユニットＷ１およびＷ１’ではいかなる信号も伝送しないため、測定された信号電力は第一層の干渉リソースブロックＲＢ２”および第二層の干渉リソースブロックＲＢ３”の総干渉電力である。こうして、移動端末ＵＥ１は隣接セルｅＮＢ２および／またはｅＮＢ３からの干渉電力を取得することができる。また、測定された隣接セルｅＮＢ２および／またはｅＮＢ３からの干渉電力が所定の閾値を超えていれば、移動端末ＵＥ１は閾値を超えた当該干渉電力をサービングセルｅＮＢ１に報告する。
【００６７】
図１３（ａ）および図１３（ｂ）は、本開示の実施例による電力感知参照信号の復調参照信号の位置への設置の他の図示である。図１３（ａ）および図１３（ｂ）は、図１２（ａ）および図１２（ｂ）と基本的に同様であり、図１３（ａ）および図１３（ｂ）において図１２（ａ）および図１２（ｂ）と同一の部分については、ここではあらためて述べない。
【００６８】
本公開の実施例によれば、電力感知参照信号を第一層の干渉リソースブロックＲＢ２”および第二層の干渉リソースブロックＲＢ３”のいずれかの復調参照信号の位置に設置することが可能であり、位置を占有された復調参照信号を当該干渉リソースブロックの他の時間周波数位置に設置する。図１３（ｂ）には、電力感知参照信号（Ｗで表す）を第１層の干渉リソースブロックＲＢ２”の復調参照信号の位置に設置するとともに、位置を占有された復調参照信号（Ｖで表す）を当該干渉リソースブロックにおけるデータ信号の伝送のための時間周波数位置に設置することを示している。
【００６９】
このような状況で、サービングセルの基地局ｅＮＢ１は、図１３（ａ）のサービングリソースブロックＲＢ１”における網掛け線で表すリソースユニット（Ｗ１で表す）に示すように、自身が送信するリソースブロックＲＢ１”における、電力感知参照信号Ｗに対応する位置でパンクチャリングを行う。つまり、サービングリソースブロックＲＢ１”のリソースユニットＷ１においてはいかなる信号も送信しない。また、各リソースブロックにおける電力感知参照信号の位置では直交しているため、干渉リソースブロックＲＢ２”およびＲＢ３”を送信する際は、隣接セルの基地局ｅＮＢ２および／またはｅＮＢ３は、第二層の干渉リソースブロックＲＢ３”における第一層の干渉リソースブロックＲＢ２”の電力感知参照信号Ｗの位置に対応する位置Ｗ１’においてさらにパンクチャリングを行い（図示せず）、これにより、パンクチャリングされた位置ではいかなる信号も送信しないようにする。このように、第一層の干渉リソースブロックＲＢ２”における電力感知参照信号Ｗの直交化が実現される。つまり、本開示の実施例は、電力感知参照信号を多層の干渉リソースブロック中の一層に設置し、この一層以外の他の層の干渉リソースブロックにおける当該電力感知参照信号と同一の時間周波数位置でパンクチャリングを行って、いかなる信号も送信しないようにする。
【００７０】
この実施例においては、電力感知参照信号は復調参照信号の伝送のためのリソースユニットを占有しており、位置を占有された復調参照信号を当該干渉リソースブロックの他の時間周波数位置に設置しており、単層または多層の干渉源については、本方法はいずれもパンクチャリングのオーバーヘッドを保持または低減することが可能であり、また、復調時のチャネル推定の精度を低下させることもない。
【００７１】
移動端末ＵＥ１がサービング基地局ｅＮＢ１からサービング信号を受信し、および、同一の時間周波数リソースを用いて隣接セルの基地局ｅＮＢ２および／またはｅＮＢ３から多層（例えば二層）の干渉信号を受信した際には、移動端末ＵＥ１は電力感知参照信号Ｗの位置における信号電力を測定することができる。電力感知参照信号Ｗの波形指向性図は第一層の干渉リソースブロックＲＢ２”および第二層の干渉リソースブロックＲＢ３”それぞれの波形指向性図の総和に等しく、リソースユニットＷ１およびＷ１’ではいかなる信号も伝送しないため、測定された信号電力は第一層の干渉リソースブロックＲＢ２”および第二層の干渉リソースブロックＲＢ３”の総干渉電力である。こうして、移動端末ＵＥ１は隣接セルｅＮＢ２および／またはｅＮＢ３からの干渉電力を取得することができる。また、測定された隣接セルｅＮＢ２および／またはｅＮＢ３からの干渉電力が所定の閾値を超えていれば、移動端末ＵＥ１は閾値を超えた当該干渉電力をサービングセルｅＮＢ１に報告する。
【００７２】
本公開の他の実施例によれば、干渉としての二層のリソースブロックＲＢ”（ＲＢ２”＋ＲＢ３”に等しい）において、第一層のリソースブロックＲＢ２”および第二層のリソースブロックＲＢ３”のいずれかのＣＳＩ参照信号の位置を占有して電力感知参照信号を送信し、サービングセルｅＮＢ１によって移動端末ＵＥ１に送信されるサービングリソースブロックＲＢ１”の対応の位置でパンクチャリングを行うことができる。同時に、ＣＳＩ参照信号が占有された干渉リソースブロックに対応する他層の干渉リソースブロックの対応位置にもパンクチャリングを行っており、換言すれば、ＣＳＩ参照信号は直交している。つまり、電力感知参照信号を多層の干渉リソースブロック中の一層に設置し、この一層以外の他の層のリソースブロックにおける当該電力感知参照信号と同一の時間周波数位置でパンクチャリングを行って、いかなる信号も送信しないようにする。ここで、電力感知参照信号はチャネル状態情報参照信号を伝送するための位置を占有しており、換言すれば、電力感知参照信号を干渉リソースブロックにおけるチャネル状態情報参照信号の時間周波数位置に設置しており、このようにしてデータ伝送の時間周波数リソースをさらに節約することが可能である。この方法はパンクチャリングがもたらすオーバーヘッドを低減することができ、また、隣接セル内の復調精度に影響することもない。
【００７３】
本公開のさらに別の実施例によれば、干渉源としての二層のリソースブロックＲＢ２”およびＲＢ３”において、ある層の干渉リソースブロックＲＢ２”またはＲＢ３”の制御区内の位置を占有して電力感知参照信号を送信し、サービングセルｅＮＢ１によって移動端末ＵＥ１に送信されるサービングリソースブロックＲＢ１”の対応の位置でパンクチャリングを行い、位置を占有された干渉リソースブロックに対応する他層の干渉リソースブロックの対応位置においてもパンクチャリングを行うことができる。すなわち、電力感知参照信号を多層の干渉リソースブロック中の一層に設置し、この一層以外の他の層のリソースブロックにおける当該電力感知参照信号と同一の時間周波数位置でパンクチャリングを行って、いかなる信号も送信しないようにする。各リソースブロックにおいてパンクチャリングされたリソースユニットにおいてはいかなるデータも送信しない。ここで、電力感知参照信号は制御区内の位置を占有しており、換言すれば、電力感知参照信号の位置を干渉リソースブロックの制御区内に設置しており、この方法はパンクチャリングがもたらすオーバーヘッドを低減することができ、隣接セル内の復調精度に影響することもなく、隣接セルのチャネル推定の制度を低下させることもない。しかしながら、この位置は、使用可能なリソースユニットが制御区内にまだある場合にのみ使用することができる。
【００７４】
図１４は、本開示の他の実施例による電力感知参照信号の設置の図示である。図１４に示す干渉リソースブロックＲＢ”において、４層の干渉リソースブロックを示し、各層の干渉リソースブロックの復調参照信号をそれぞれＬ０、Ｌ１、Ｌ２、Ｌ３で表し、また、斜線で表すリソースユニットでＲｅｌ−８  ＲＳ信号を示す。この実施例によれば、電力感知参照信号の位置をＲｅｌ−８  ＲＳ信号と離すこと、すなわち電力感知参照信号と各層の干渉リソースブロックにおけるＲｅｌ−８  ＲＳ参照信号の時間周波数位置を互いに離すことにより、信号受信の過程において生じる不利な影響を防ぐことが考えられる。
【００７５】
図１５は、干渉が隣接セルの複数の端末からくる場合の電力感知参照信号の設置の図示である。干渉源が隣接セルの基地局が複数の移動端末ＵＥに送信する信号である際は、干渉される移動端末ＵＥ１が複数のリソースブロックを占拠する（一般には、時間および周波数上で連続するいくつかのリソースブロックを含む）可能性があるため、干渉される移動端末ＵＥ１の異なるリソースブロックは、隣接セルの異なる移動端末の信号に干渉される可能性がある。この状況で、隣接セルの各移動端末がいずれも単層の信号を受信したとしても、サービングセルの各リソースブロックの干渉は多層である可能性、すなわち、各層のリソースブロックが隣接セルにおける異なる移動端末の信号からくる可能性がある。この状況で、複数の移動端末の信号からの干渉は、電力感知参照信号を用いて近似することが可能であり、その設計方法は、図１５に示すように、多層の干渉信号の設計と同様である。
【００７６】
図１５において、例えばリソースブロックＲＢ１およびＲＢ１’はサービングセルの基地局ｅＮＢ１が移動端末ＵＥ１に送信する、周波数領域で連続する２つのサービングリソースブロックであって、リソースブロックＲＢ２およびリソースブロックＲＢ３は隣接セルの基地局、例えばｅＮＢ２が異なる移動端末ＵＥ２およびＵＥ３にそれぞれ送信する、周波数領域で連続する２つのリソースブロックである。図１５における各リソースブロックの構造は前述と同様であり、ここではあらためて述べない。図１５に示す状況において、移動端末ＵＥ２およびＵＥ３はそれぞれ単層の信号のみを受信しているにもかかわらず、サービングセルの移動端末ＵＥ１については、図１５に示す特定の時間周波数リソース上で、やはり隣接セルｅＮＢ２からの、２つの移動端末ＵＥ２およびＵＥ３に送信する信号の干渉を受信している。この状況で、隣接セルの基地局ｅＮＢ２はそのうちの一部分のリソースブロック（例えば、１つのリソースブロックＲＢ３）上のみに電力感知参照信号を設置することが可能であり、この電力感知参照信号の波形指向性図はこの二層のリソースブロックＲＢ２およびＲＢ３の波形指向性図の総和と等しい、または近似的に等しいはずである。
【００７７】
図１６は、干渉が隣接セルの複数の端末からくる場合の電力感知参照信号の設置の他の例示の図示である。図１６に示すように、左側の複数のリソースブロックはサービングセルの基地局ｅＮＢ１がその移動端末ＵＥ１に送信するサービングリソースブロックであり、右側の斜線で表すリソースブロックは隣接セルｅＮＢ２が自セル内の移動端末ＵＥ２に送信するリソースブロックであり、右側の横線で表すリソースブロックは隣接セルｅＮＢ２が自セル内の移動端末ＵＥ３に送信するリソースブロックである。この状況で、隣接セルの基地局ｅＮＢ２はそのうちの一部分のリソースブロック上のみに電力感知参照信号を設置することが可能であり、この電力感知参照信号の波形指向性図は移動端末ＵＥ２およびＵＥ３に送信する全てのリソースブロックの波形指向性図の総和に等しいはずである。
【００７８】
図１７は、隣接セル中に複数の移動端末が存在する際の干渉リソースブロックの発生の図示である。オーバーヘッド低減を考慮して、全ての干渉リソースブロック中に電力感知参照信号の設置が必要であるとは限らない。この状況で、互いに離れたいくつかのリソースブロックには１つの電力感知参照信号が設置されているはずであり、電力感知参照信号の密度について、一種のオプションは確定的な密度であって、基地局中の信号スケジューラの類型および移動端末のリソースブロックの割当の程度（隣接、または隣接しない）に関わらず、電力感知参照信号の密度は常に一様である。もう一種のオプションは調整可能な密度であって、例えば、隣接するリソースブロックの割当については、電力感知参照信号の密度は比較的まばらで、逆に隣接しないリソースブロックの割当については、電力感知参照信号の密度は比較的緊密である。密度を調整可能な解決手段については、被干渉セルに新たな電力感知参照信号の密度を通知できるように、一般に密度の調整は速すぎてはならない。
【００７９】
図１７に示すように、異なる線によって表すリソースブロックはそれぞれ異なる移動端末のリソースブロックであり、これらのリソースブロックは時間および周波数上で連続しており、“○”は電力感知参照信号を備えたリソースブロックを表す。この状況では、時間周波数で連続する複数の干渉リソースブロックにおいて、一定の時間周波数間隔で電力感知参照信号を設置する。
【００８０】
また、干渉セルが１より多い際は、各セルの電力感知参照信号は適切な多重メカニズムを有するべきである。時間分割または周波数分割または符号分割の多重メカニズムに基づいて、電力感知参照信号を多重することが可能である。
【００８１】
図１８は、本開示の実施例を実現するための無線通信システムの基本配置の図示である。図１８に示すように、本公開の実施例の無線通信システムは、サービングセルおよび隣接セルを含み、サービングセルおよび隣接セルはサービング基地局ｅＮＢ１および隣接基地局ｅＮＢ２を含んでいる。サービングセルの移動端末ＵＥ１は、同一の時間周波数リソースを用いてサービング基地局ｅＮＢ１からサービングリソースブロックを受信するとともに、（図中で破線で示すように）隣接基地局ｅＮＢ２から干渉リソースブロックを受信する。図１８に示す無線通信システム中には、サービング基地局ｅＮＢ１中に配置されるパンクチャリング装置１８１と、隣接基地局ｅＮＢ２中に配置される設置装置１８２とをさらに含む。サービング基地局ｅＮＢ１および隣接基地局ｅＮＢ２というのは相対的な言い方に過ぎず、移動端末ＵＥ２については、ｅＮＢ２がサービング基地局、ｅＮＢ１が隣接基地局であるため、設置装置１８２およびパンクチャリング装置１８１は、基地局ｅＮＢ１およびｅＮＢ２中にそれぞれ配置されてもよい。基地局ｅＮＢ１およびｅＮＢ２中には、設置装置１８２およびパンクチャリング装置１８１以外に、例えば設置装置１８２およびパンクチャリング装置１８１の動作を制御できる制御装置等の他の複数の手段がさらに含まれるが、それらは構造上は従来技術の基地局装置と同様でよいため、ここでは詳細な記述を省略する。
【００８２】
本公開の１つの実施例によれば、基地局ｅＮＢ２の設置装置１８２は、その移動端末ＵＥ２に送信するリソースブロック（ＵＥ１にとっては干渉リソースブロック）中にユーザ固有参照信号を設置し、このユーザ固有参照信号は、当該リソースブロックにおける復調参照信号であってもよく、上に述べた単独で設計された電力感知参照信号であってもよい。基地局ｅＮＢ１、ｅＮＢ２間の通信（当業者が実現可能ないかなる形式であってもよい）を経て、基地局ｅＮＢ１は基地局ｅＮＢ２により干渉リソースブロック中に設置されたユーザ固有参照信号の時間周波数位置を取得し、基地局ｅＮＢ１中のパンクチャリング装置１８１は、サービング基地局ｅＮＢ１により移動端末ＵＥ１に送信される、干渉リソースブロックと同一の時間周波数リソースを具備するサービングリソースブロックにおいて、当該干渉リソースブロック上でユーザ固有参照信号が設置されている時間周波数位置と同一の時間周波数位置にパンクチャリングを行い、パンクチャリングされた時間周波数位置ではいかなる信号も伝送しないようにする。
【００８３】
移動端末ＵＥ１は、同一の時間周波数リソースで当該サービングリソースブロックおよび干渉リソースブロックを受信した後に、隣接セルの基地局ｅＮＢ２から受信した干渉電力として、パンクチャリングされた時間周波数位置で、設置されたユーザ固有参照信号の電力を測定する。測定された隣接セルの基地局ｅＮＢ２からの干渉電力が、ある所定の閾値（システムの要求に応じて設置可能）を超えていれば、移動端末ＵＥ１はサービングセルの基地局ｅＮＢ１に報告し、すなわち、測定された干渉電力をサービングセルの基地局ｅＮＢ１に報告し、超えていなければ、測地された干渉電力をサービングセルの基地局ｅＮＢ１に報告しない。
【００８４】
上記のように、基地局ｅＮＢ２が存在するセルをサービングセルとし、基地局ｅＮＢ１が存在するセルを隣接セルとした際は、サービングセルにおける移動端末ＵＥ２については、基地局ｅＮＢ１中に配置された設置装置および基地局ｅＮＢ２中に配置されたパンクチャリング装置が上記の方式で動作する。ここではあらためて述べない。
【００８５】
また、隣接セルは１つに限られず、システム中に存在できる任意の数量であってよい。
【００８６】
図１９は、本開示の実施例を実現するための方法のフロー図である。
【００８７】
図１９に示すフロー図のステップＳ１９０１では、隣接セルの干渉リソースブロック中にユーザ固有参照信号を設置する。図１９に示すステップＳ１９０２では、サービングセルのサービングリソースブロックにおける、干渉リソースブロック上でユーザ固有参照信号が設置されている時間周波数位置と同一の時間周波数位置にパンクチャリングを行い、パンクチャリングされた時間周波数位置ではいかなる信号も伝送しないようにする。ステップＳ１９０３では、パンクチャリングされた時間周波数位置で、ユーザ固有参照信号の電力を、隣接セルから受信する干渉電力として測定する。ステップＳ１９０４では、測定された干渉電力が所定の閾値より大きいか否か判定する。測定された隣接セルからの干渉電力が所定の閾値を超えている場合には、工程はステップＳ１９０５に進み、ステップＳ１９０５において、当該干渉電力をサービングセルに報告する。
【００８８】
上記のステップＳ１９０１は隣接セルの基地局ｅＮＢ２中に配置された例えば設置装置１８２によって実現され、ステップＳ１９０２はサービングセルの基地局ｅＮＢ１中に配置された例えばパンクチャリング装置１８１によって実現され、ステップＳ１９０３、ステップＳ１９０４およびステップＳ１９０５は例えばサービングセルｅＮＢ１の移動端末ＵＥ１によって実現されうる。
【００８９】
本公開の実施例の方法はさらに、ユーザ固有参照信号を多層の干渉リソースブロック中の一層に設置し、この一層以外の他の層の干渉リソースブロックにおける当該ユーザ固有参照信号と同一の時間周波数位置でパンクチャリングを行って、いかなる信号も送信しないようにするステップを含みうる。本公開の実施例の方法はさらに、ユーザ固有参照信号を干渉リソースブロック中の復調参照信号として設置するステップを含みうる。本公開の実施例の方法はさらに、ユーザ固有参照信号を干渉リソースブロック中の固有の復調参照信号以外の新たな復調参照信号として設置するステップを含みうる。本公開の実施例の方法はさらに、電力感知参照信号の波形指向性図を干渉リソースブロック中の全信号の波形指向性図の総和として設置するステップを含みうる。本公開の実施例の方法はさらに、電力感知参照信号を干渉リソースブロック中のデータ信号の時間周波数位置に設置するステップを含みうる。本公開の実施例の方法はさらに、電力感知参照信号を干渉リソースブロック中の復調参照信号の時間周波数位置に設置するステップを含みうる。本公開の実施例の方法はさらに、位置を占有された復調参照信号を他の時間周波数位置に設置するステップを含みうる。本公開の実施例の方法はさらに、電力感知参照信号を干渉リソースブロック中のチャネル状態情報参照信号の時間周波数位置に設置するステップを含みうる。本公開の実施例の方法はさらに、電力感知参照信号の位置を干渉リソースブロックの制御区内に設置するステップを含みうる。本公開の実施例の方法はさらに、電力感知参照信号と干渉リソースブロック中のＲｅｌ−８  ＲＳ参照信号の時間周波数位置を互いに離すステップを含みうる。本公開の実施例の方法はさらに、当該隣接セルの基地局内でプリコーディングベクトルデータベースを探索し、干渉リソースブロックの各層の信号の全体の波形指向性図に最も合致するプリコーディングベクトルを探し出して、電力感知参照信号のプリコーディングベクトルとするステップを含みうる。本公開の実施例の方法はさらに、符号帳に基づいて各層の信号のプリコーディングベクトルを設置するとともに、当該電力感知参照信号に対応するプリコーディングベクトルを予め記憶するステップを含みうる。本公開の実施例の方法はさらに、干渉リソースブロックにおける各層の信号の波形指向性図を算出するとともに、各層の波形指向性図を重ね合わせて、当該電力感知参照信号の波形指向性図とし、その後、当該電力感知参照信号の波形指向性図に基づいてスペクトル分解を行って、当該電力感知参照信号のプリコーディングベクトルを取得するステップを含みうる。本公開の実施例の方法はさらに、時間周波数が連続した複数の干渉リソースブロックにおいて、所定の時間周波数間隔で当該電力感知参照信号を設置するステップを含みうる。上述の各ステップは隣接セルの基地局ｅＮＢ２中に配置された例えば設置装置１８２によって実現されうる。
【００９０】
本公開の実施例の適応フィードバック方式によれば、上りのフィードバックオーバーヘッドは効果的に低減されうる。例えば、各ＵＥがシングル受信アンテナであり、２つの基地局がそれぞれ４つの送信アンテナであると仮定すると、アンテナ間隔はアンテナ間のフェージングが独立フェージングであることを保証する。基地局側に全てのチャネル情報があり、送信は最大比送信であると仮定する。この場合、適応フィードバック方式がフィードバックオーバーヘッドを以下の表のように低減可能であることが１つの簡単なシミュレーションにより導かれる。
【００９１】
適応型のフィードバックはフィードバックオーバーヘッドを効果的に低減できる。
【表１】
0005591913.tif 000007
【００９２】
隣接セルの干渉電力を測定する方法は、協調式ビーム形成のフィードバックオーバーヘッドの低減に用いうるのみならず、他のシステム性能の向上や他のオーバーヘッドの低減のために、他の通信システムに応用することが可能であることは、当業者にとって自明である。
【００９３】
本願における上記の各実施例は実例としての記述に過ぎず、各実施例の具体的な構成および動作は、本公開の範囲を制限するものではなく、当業者は上記の各実施例における異なる部分や動作を組み合わせ直して、新たな実施の方式を生み出すことが可能であり、同様に本公開の思想に適合している。
【００９４】
本公開の実施例は、ハードウェア、ソフトウェア、ファームウェアおよびそれらの組み合わせの方式で実現されうるが、実現方式は本公開の範囲を制限するものではない。
【００９５】
本公開の実施例における各機能素子（手段）相互の間の接続関係は、本公開の範囲を制限するものではなく、このうち一つまたは複数の素子は、他の任意の機能素子を含んだり、他の任意の機能素子に接続したりしてもよい。
【００９６】
上記では図面を組み合わせて本公開のいくつかの実施例を示し、説明したが、本公開の原則および精神を逸脱することなしに、これらの実施例について変更および修正を行うことが可能であって、依然として本公開の請求の範囲およびその等価物の範囲内におさまることは、当業者にとって自明である。
【図１】
0005591913.tif 000008
【図２】
0005591913.tif 000009
【図３（ａ）】
0005591913.tif 000010
【図３（ｂ）】
0005591913.tif 000011
【図４（ａ）】
0005591913.tif 000012
【図４（ｂ）】
0005591913.tif 000013
【図５（ａ）】
0005591913.tif 000014
【図５（ｂ）】
0005591913.tif 000015
【図６（ａ）】
0005591913.tif 000016
【図６（ｂ）】
0005591913.tif 000017
【図７（ａ）】
0005591913.tif 000018
【図７（ｂ）】
0005591913.tif 000019
【図８（ａ）】
0005591913.tif 000020
【図８（ｂ）】
0005591913.tif 000021
【図８（ｃ）】
0005591913.tif 000022
【図９（ａ）】
0005591913.tif 000023
【図９（ｂ）】
0005591913.tif 000024
【図１０】
0005591913.tif 000025
【図１１（ａ）】
0005591913.tif 000026
【図１１（ｂ）】
0005591913.tif 000027
【図１２（ａ）】
0005591913.tif 000028
【図１２（ｂ）】
0005591913.tif 000029
【図１３（ａ）】
0005591913.tif 000030
【図１３（ｂ）】
0005591913.tif 000031
【図１４】
0005591913.tif 000032
【図１５】
0005591913.tif 000033
【図１６】
0005591913.tif 000034
【図１７】
0005591913.tif 000035
【図１８】
0005591913.tif 000036
【図１９】
0005591913.tif 000037